(57)【要約】【課題】可燃性ガス等を賦存した地中にトンネル孔を構築していく推進工法において、推進管内に地下水や土砂の侵入はもちろんのこと、可燃性ガス等を侵入させないで安全に推進施工が行える推進管の継手構造を提供する。【解決手段】本発明は、互いに接続される一対の推進管のうち、一方の管には管の端面から推進方向に伸びる突出環を備え、他方の管には管の端面に配置され前記突出環の内径よりも小さく縮径した接続筒と、接続筒の外周に周方向に沿って配置され前記突出環の内周面に当接して変形可能な止水リングと、突出環の内周に管端面から推進方向に所定の長さを持って周方向に配置され、接続筒の外周面に当接して変形し突出環の内周面と接続筒の外周面に強力に付着させる遮気性帯体とにより構成されることを特徴とする。    【選択図】  図１
2005256516.tif 000002
【特許請求の範囲】
【請求項１】
推進工法に用いられる推進管の接続箇所に設けられる継手構造において、互いに接続される一対の推進管のうち、一方の管には管の端面から推進方向に伸びる突出環を備え、他方の管には管の端面に配置され前記突出環の内径よりも小さく縮径した接続筒と、接続筒の外周に周方向に沿って配置され前記突出環の内周面に当接して変形可能な止水リング、または突出環の内周に周方向に沿って配置され前記接続筒の外周面に当接して変形可能な止水リングと、突出環の内周に管端面から推進方向に所定の長さを持って周方向に配置され、接続筒の外周面に当接して変形し突出環の内周面と接続筒の外周面に強力に付着させる遮気性帯体とにより構成されることを特徴とする推進管の継手構造。
【発明の詳細な説明】
【技術分野】
【０００１】
本発明は、推進工法において推進管の継手部からの可燃性ガスの侵入を防止するための継手構造に関するものである。
【背景技術】
【０００２】
推進工法は、埋設する推進管の先端に設置した掘進機の掘削手段によって、発進立坑から地山を掘削しながら推進管を地中に埋設していく方法である。掘進機は、到達立坑内に取り込むことによって回収される。推進管の継手構造としては、一方は推進管の端面から推進方向に伸びる突出環を備え、他方の推進管には推進管の端面に配置された前記突出環の内径よりも小さく縮径した接続筒が設けられている。接続筒の外周には、周方向に沿って前記突出環の内面に当接して変形可能なゴム材からなる止水リングを配置して構成され、前記突出環内に接続筒を嵌設させることによって、止水リングで地下水や土砂の侵入を防止する。また、他の管材としては、突出環の内周に周方向に沿って配置され前記接続筒の外周面に当接して変形可能なゴム材からなる止水リングを配置して構成し、前記突出環と接続等を嵌設させて、止水リングで地下水等の侵入を防止する。
【０００３】
推進施工を行なう地中には、有機物の腐敗・発酵により発生した無色・無臭のメタンガス等の可燃性ガスが存在している。可燃性ガスは、平地部では地下水中に溶存するか、遊離ガスとして賦存していることが多い。可燃性ガスが賦存している地層を推進工法で掘進した場合、可燃性ガスは地下水圧等の圧力から解放されて、自由面（トンネル内）に向かって噴き出してくる。掘進機を完全に密閉型にし、掘削排土等もチャンバ内から流体輸送機構とすることで掘進機内への可燃性ガスの侵入を防止することができるが、前記した従来技術である推進管継手部のゴム材である止水リングは、水密性に優れ遮水性には効果を発揮するが、可燃性ガス等の遮気性には優れておらず、止水リングを通して管内に侵入しやすいという問題がある。また、推進工事が曲線施工を含む場合には、推進管継手部が屈曲して管外側の目地が絶えず開閉することとなり、止水リングと突出環、止水リングと接続筒の当接が弱くなり、より可燃性ガス等の侵入がし易くなり危険が増大する。
【０００４】
このため、一般的に行なわれている防爆対策としては、掘進機や坑内設備の発火源となる機器類やスイッチ類等を防爆構造とする方法がとられている。しかし、前記した防爆対策方法は、設備費用が非常に高価になるという問題あった。
【特許文献１】特開２０００−３５６０９３号
【発明の開示】
【発明が解決しようとする課題】
【０００５】
解決しようとする課題は、推進工事において、推進管内に地下水や土砂の侵入はもちろんのこと、可燃性ガスを侵入させないで安全な推進施工を提供する推進管の継手構造部材である。
【課題を解決するための手段】
【０００６】
本発明は、推進工法に用いられる推進管の接続箇所に設けられる継手構造において、互いに接続される一対の推進管のうち、一方の管には管の端面から推進方向に伸びる突出環を備え、他方の管には管の端面に配置され前記突出環の内径よりも小さく縮径した接続筒と、接続筒の外周に周方向に沿って配置され前記突出環の内周面に当接して変形可能な止水リング、または突出環の内周に周方向に沿って配置され前記接続筒の外周面に当接して変形可能な止水リングと、突出環の内周に管端面から推進方向に所定の長さを持って周方向に配置され、接続筒の外周面に当接して変形し突出環の内周面と接続筒の外周面に強力に付着させる遮気性帯体とにより構成されることを特徴とする推進管の継手構造である。
【発明の効果】
【０００７】
本発明の推進管の継手構造は、突出環の内周に管端面から推進方向に所定の長さを持って周方向に沿って設置した遮気性帯体が、強力な弾性力と粘着性を有していることから大きく変形して管接合部の隙間を完全に密封して可燃性ガスの侵入を防止することができる。さらに、管継手部の圧力が小さくなると、当初の形状に戻ろうとする復元力があり、曲線推進施工のように管継手部が常時伸縮して稼動する場合にも有効である。このため、推進管内には可燃性ガスが侵入することはなく、通常の推進設備で安全に推進施工が行えるという利点がある。
【発明を実施するための最良の形態】
【０００８】
推進管の継手構造において、突出環の内周に設置した遮気性帯体が、後続する接続筒を嵌設することによって変形するとともに、強力な接着力によって突出環の内周面と接続筒の外周面に付着して、管継手部の隙間を完全に密封し管外部からの可燃性ガス等の侵入を防止し、安全で確実な推進施工を実現する。
【実施例１】
【０００９】
図１は、本発明の推進管の継手構造を説明する断面図である。推進管１の後端には、管１の端面から推進方向に伸びる突出環２が推進管１の後端外周面に固着されている。後続する推進管１の先端には、前記突出環２の内径よりも小さく縮径した接続筒３が、管端面から突出した突出環２の長さ分だけ設けられている。接続筒３の外面には、周方向に沿って遮水性に優れた止水リング５が装着されている。止水リング５の外径は、突出環２の内径より大きく製作されている。突出環２の内周には、管端面から推進方向に向かって所定の長さを持って遮気性に優れた遮気性帯体４が装着されている。遮気性帯体４のシーリングは、現場搬入後に行なうことも可能であるが、予め推進管の製作工場等で行う方が管理が確実に行えるという利点がある。
【００１０】
止水リング５としては、通常使用されている遮水性のあるゴム材でよく、地下水や土砂の推進管１内への侵入を防止させることを目的としている。遮気性帯体４としては、地中からの可燃性ガス等の推進管１内への侵入を防止することを目的としており、遮気性帯体４自体が遮気性に優れていることと、突出環２の内周面と接続筒３の外周面に確実に固着する性能が必要であり、主として水酸基末端液状ポリブタジエンゴムを主成分とした特殊ゴム材が使用される。また、遮気性帯体４は、大きく変形できる強力な弾性力とともに、当初の形状に戻ろうとする復元力にも優れており、推進施工のように推進管１の継手部が絶えず伸縮して稼動する推進工事には最適である。遮気性帯体４を突出環２の内面にシーリングする形状は、曲線推進時に絶えず屈曲して変化する突出環２の内周面と接続筒３の外周面の隙間のどこかが、常に当接して密閉できるように、凹凸状の断面として厚さに変化を持たせることが有効である。遮気性帯体４の最小厚さは、接続筒３の外径よりも小さくなるように張り付けられる。遮気性帯体４をシーリングする長さは、突出環２の内周面と接続筒３の外周面の接触が点接触とならないように、推進方向に所定の長さを有するように張り付けられる。
【００１１】
突出環２に遮気性帯体４をシーリングした推進管１の推進施工が完了すると、次の推進管１が先方の推進管１の後方に据え付けられ、後方に設置した元押しジャッキによって前方に押し出されて先端の接続筒３が、突出環２内に嵌設されていく。この時、最初に止水止水リング５が突出環２の内周面と当接して変形して密着し止水性を確保する。続いて遮水性帯体４が接続筒３の外周面及び止水ゴムに当接して圧密変形し、突出環２の内周面と接続筒３の外周面に強力に密着して可燃性ガス等の侵入を防止する。
【００１２】
図２は、構造が異なる他の推進管の継手構造を説明する断面図である。推進管６の後端には、管６の端面から推進方向に伸びる突出環７が推進管６の後端外周面に固着されている。後続する推進管６の先端には、前記突出環７の内径よりも小さく縮径した接続筒８が、管端面から突出した突出環７の長さ分だけ設けられている。突出環７の内面には、周方向に沿って遮水性に優れた２条の止水リング９、１０が装着されている。止水リング９、１０の内径は、接続筒８の外径より小さく製作されている。突出環７の内周には、管端面から推進方向に向かって止水リング１０の位置まで遮気性に優れた遮気性帯体４が装着されている。遮気性帯体４を張り付ける高さは、接続筒８を突出環７内に嵌設した際に、接続筒８の外周面と突出環７の内周面に圧密変形して強力に付着できるように、接続筒８の外径よりも小さな内径となるように張り付けられている。
【産業上の利用可能性】
【００１３】
地中に可燃性ガス等が賦存する推進工法において、推進管の継手部からの可燃性ガス筒の侵入を確実に防止して、低コストで安全に防爆対策が行える推進管の埋設に適用できる。
【図面の簡単な説明】
【００１４】
【図１】本発明の推進管の継手構造を説明する断面図である。
【図２】構造が異なる他の推進管の継手構造を説明する断面図である。
【符号の説明】
【００１５】
１    推進管
２    突出環
３    接続筒
４    遮気性帯体
５    止水ゴム
６    推進管
７    突出環
８    接続筒
９    止水ゴム
１０    止水ゴム
【図１】
2005256516.tif 000003
【図２】
2005256516.tif 000004